(57)【要約】【課題】本発明は、巾木の下方の床面にたまる塵を、確実かつ簡単に、しかも自動的に清掃できるきわめて簡単な構成のブラシ付き巾木引き出しを実現することを課題とする。【解決手段】キャビネット１において、前面部３と箱体部４からなる巾木引き出し２の一部に、シーソーのように揺動可能なアーム１４が取り付けられており、アーム１４の前端に床面１０の塵１１を掃くブラシ１２が取り付けられ、アーム１４の後端にガイド部材１８に沿って案内されるローラ状の錘１７が取り付けられており、巾木引き出し２を前方に引き出した際に、所定範囲の巾木引き出し位置では、ブラシ１２が巾木引き出し２と連動して床面１０に摺接して塵１１を掃き、所定範囲を超えた巾木引き出し位置では、錘１７の重量によって、ブラシ１２が上方に上がって床面１０から離れ床面１０を摺接しない。【選択図】図２
2008200197.tif 000002
【特許請求の範囲】
【請求項１】
キャビネットの下部に設けられ、前面部と箱体部からなる巾木引き出しであって、前面部の下部に床面の塵を掃くブラシが取り付けられていることを特徴とする巾木引き出し。
【請求項２】
請求項１記載の巾木引き出しであって、巾木引き出しを引き出した際に、所定範囲の引き出し位置では、ブラシが巾木引き出しと連動して引き出されて、床面の塵を掃き、所定範囲を超えた引き出し位置では、ブラシが巾木引き出しと連動して引き出されないことを特徴とする巾木引き出し。
【請求項３】
請求項２記載の巾木引き出しであって、所定範囲を超えた引き出し位置では、ブラシが上方に上がることを特徴とする巾木引き出し。
【請求項４】
請求項２記載の巾木引き出しであって、所定範囲を超えた 引き出し位置では、ブラシが前面部から外れることを特徴とする巾木引き出し。
【発明の詳細な説明】
【技術分野】
【０００１】
本発明は、キャビネット等の引き出しに関し、特に、床を清掃するブラシを備えた巾木引き出しに関する発明である。
【背景技術】
【０００２】
従来、巾木が前方に引き出される引き出しが知られている（特許文献１参照）。このように巾木が引き出される巾木引き出しは、最近は、キッチンのキャビネットの収納等に多く用いられている。
【０００３】
図６は、キャビネット１に設けられた従来の巾木引き出し４０の要部を示す図である。この図６（ａ）において、巾木引き出し４０の前面部の巾木４１は、巾木引き出し４０を開く際に前方にスライドする。従って、巾木４１と床面１０との間に、キッチンマット等の敷設を考慮すると、１５ｍｍ程度の隙間ｄが必要である。しかし、この隙間における床面１０に、図６（ｂ）に示すように、塵１１がたまると、清掃がしにくいという問題があった。
【０００４】
ところで、従来、巾木の近傍の床面を清掃する装置として、次のような発明が知られている。システムキッチン等のベースキャビネットのけこみ巾木にブラシを取り付けて、ブラシを回動して床を清掃するキャビネット前部清掃装置が知られている（特許文献２参照）。
【０００５】
また、居室の壁面の巾木の上縁部に、案内レールを配設し、案内レール上を滑動する滑動輪を備えた本体に、掃除機の吸引ホースを接続した居室掃除補助具が知られている（特許文献３参照）。
【０００６】
【特許文献１】特開２００５−２２４３１０号公報
【特許文献２】実開平５−２１８６６号公報
【特許文献３】特開平７−１９４５０６号公報
【発明の開示】
【発明が解決しようとする課題】
【０００７】
前述のとおり巾木と床面の間にたまる塵は、巾木と床面の間の間隔が小さいために、清掃が困難である。特許文献２及び３に開示されているような装置では、巾木と床面の間の塵の清掃には適用できず、また装置として大がかりとなってしまう。
【０００８】
本発明は、巾木の下方の床面にたまる塵を、確実かつ簡単に、しかも自動的に清掃できるきわめて簡単な構成のブラシ付き巾木引き出しを実現することを課題とする。
【課題を解決するための手段】
【０００９】
本発明は上記課題を解決するために、キャビネットの下部に設けられ、前面部と箱体部からなる巾木引き出しであって、前面部の下部に床面の塵を掃くブラシが取り付けられていることを特徴とする巾木引き出しを提供する。
【００１０】
上記巾木引き出しにおいて、巾木引き出しを引き出した際に、所定範囲の引き出し位置では、ブラシが巾木引き出しと連動して引き出されて、床面の塵を掃き、所定範囲を超えた引き出し位置では、ブラシが巾木引き出しと連動して引き出されない構成としてもよい。
【００１１】
上記巾木引き出しにおいて、所定範囲を超えた引き出し位置では、ブラシが上方に上がる構成としてもよい。
【００１２】
上記巾木引き出しにおいて、所定範囲を超えた引き出し位置では、ブラシが前面部から外れる構成としてもよい。
【発明の効果】
【００１３】
本発明に係る巾木引き出しによれば、次のような効果が生じる。
（１）間隔が小さいために掃除が困難である巾木と床面の間を清掃することができる。
（２）きわめて簡単な構成で上記の清掃が可能である。
【発明を実施するための最良の形態】
【００１４】
以下、本発明に係る巾木引き出しを実施するための最良の形態を実施例に基づいて図面を参照して説明する。
【実施例１】
【００１５】
図１〜２は、本発明に係る巾木引き出しの実施例１を説明する図である。キャビネット１には複数の引き出しが設けられているが、図１（ａ）は、キャビネット１と、その下部の巾木に設けられた巾木引き出し２を前方に少し引き出した状態を、斜め下方から見た図である。
【００１６】
巾木引き出し２は、前面部３と箱体部４とから構成されている。箱体部４は、底板６、側板４’、背板（図示せず）とを備えている。前面部３は、前面板７と巾木８がスペーサ９（連結材）を介して結合され構成されている。
【００１７】
本発明に係る巾木引き出し２の特徴は、前面部３の下部（前面部３の巾木８の下部）に、床面１０の塵１１を掃くブラシ１２が取り付けられている構成である。その具体的な構成を、図１（ｂ）及び図２（作用を説明する要部拡大図）において説明する。
【００１８】
巾木引き出し２の底板６の前部左右両側の下面に、それぞれ左右の支持部材１３が固定されている。この左右の支持部材１３に、それぞれ左右のアーム１４が回転可能（揺動可能）に取り付けられている。即ち、支持部材１３にアーム１４の中央部が枢軸１５によってシーソーのように、回転可能に取り付けられている。
【００１９】
左右のアーム１４の前端部の間に、長板状のブラシホルダ１６の上端が枢着されている。一方、左右のアーム１４の後端部の間に、ローラ状の錘１７が回転可能に取り付けられている。ブラシホルダ１６には、ブラシ１２が下方に向けて伸びるように取り付けられている。ブラシ１２の長さは、図２（ａ）に示すように、巾木引き出し２が閉じた状態において床面１０に当接するような長さである。
【００２０】
アーム１４において、ブラシホルダ１６及びブラシ１２の重量によるモーメントに較べて、錘１７の重量によるモーメント（図２（ａ）、（ｂ）において時計針回りの方向へのモーメント）の方が大きくなるように、ブラシホルダ１６及びブラシ１２と錘１７の重量、並びにアーム１４の支持部材１３への取付位置が設計されている。従って、自然状態では、アーム１４は、枢軸１５を中心に時計針回りの方向に回転し、図２（ｂ）に示すように時計針回りの方向に傾き、ブラシ１２は床面１０から離れるように上方に位置する。
【００２１】
巾木引き出し２の底板６の下方において、キャビネット１の底板１’の前部左右両側の上面に、それぞれ左右のガイド部材１８が固定されている。この左右のガイド部材１８は、その上面はカム面１９として形成されている。このカム面１９は、奥行き方向に向けて上方に向かう傾斜曲面２０と、この傾斜曲面２０の上端に連成する平坦面２１とから成る。
【００２２】
巾木引き出し２の開閉の際に、このカム面１９に沿って錘１７は案内されるように構成されている。錘１７が平坦面２１上に沿って案内される間は、ブラシ１２は床面１０に当接している（図２（ａ）参照）。錘１７が傾斜曲面２０を案内される間は、ブラシ１２は床面１０に対して徐々に離れる又は近づく。錘１７がカム面１９から離れておりカム部材１８より前方にある間（図２（ｂ）参照）は、ブラシ１２は床面１０から上方に離れている。平坦面２１の奥行き方向の長さによって、ブラシ１２が床面１０に当接している範囲（ストローク）が決まる。
【００２３】
（作用）        
以上の構成から成る実施例１の巾木引き出し２の作用を説明する。図１（ｂ）及び図２（ａ）に示すように、巾木引き出し２が閉じている状態では、錘１７はガイドの平坦面２１に乗り上がっており、アーム１４の前端が下方に向けて傾けられている。従って、ブラシ１２は床面１０に当接している。
【００２４】
使用者が、巾木引き出し２を開くために前方に引くと、巾木引き出し２とともにアーム１４は前方に移動し、錘１７はカム面１９の平坦面２１に沿ってガイドされて移動する。錘１７がカム面１９の平坦な面２１に沿ってガイドされて移動する間は、ブラシ１２が床面１０を摺接して床面１０を掃き、床面１０上の塵１１を清掃する。
【００２５】
そして、さらに巾木引き出し２を前方に引き、錘１７がカム面１９の傾斜曲面２０に沿ってガイドされ徐々に下降すると、ブラシ１２は床面１０から徐々に上方に離れ、さらに巾木引き出し２を前方に移動して、図２（ｂ）に示すように、錘１７がカム面１９から離れると、錘１７の重量によるモーメントによりブラシ１２は床面１０からさらに上方に離れる。
【００２６】
逆に、図２（ｂ）に示すような巾木引き出し２を開いた状態から、図２（ａ）に示すように閉じる場合は、巾木引き出し２がキャビネット１の本体に到達する前に、錘１７がカム面１９の傾斜曲面２０に沿って上昇し、ブラシ１２は徐々に下降して床面１０に接近する。そして、錘１７がカム面１９の平坦面２１に沿って案内され、巾木引き出し２が閉じた状態となるまで、ブラシ１２が床面１０に当接した状態となる。
【００２７】
以上のとおり、巾木引き出し２の開け閉めに連動して床面１０に摺接して床面１０を清掃することのできるブラシ１２を取り付けたという、簡単な構成によって、巾木８の下方の床面１０にたまる塵１１を、確実かつ簡単、しかも自動的に清掃できる。
【００２８】
そして、巾木引き出し２を開く際に、閉じた状態から錘１７がカム面１９の平坦面２１にガイドされている所定範囲の間は、ブラシ１２が巾木引き出し２と連動して引き出されながら床面１０を摺接し、塵１１を掃く。また、巾木引き出し２が上記所定範囲（錘１７がカム面１９により案内される範囲）を超える位置まで引き出されると、ブラシ１２が巾木引き出し２と連動して引き出されずに床面１１から引き上げられて離れる。これにより、ブラシ１２は、巾木８の下方にたまった塵１１を清掃する範囲のみ床面１０を摺接するので、無駄な清掃によるブラシ１２の破損が少なくなる。
【実施例２】
【００２９】
図３〜５は、本発明に係る巾木引き出しの実施例２を説明する図である。図３（ａ）は、実施例２のキャビネット１の全体構成を示す図であり、このキャビネット１自体は実施例１のキャビネット１と構造が同じである。実施例２は、キャビネット１に、実施例１とは別の取付構造でブラシ２２を設けるものである。そのブラシ２２の取付構造について、以下に説明する。
【００３０】
図３（ａ）の要部を示す図３（ｂ）において、キャビネット１の左右の側板５の外面に、それぞれ左右のスライドガイド２３がビス２４で固定されている。スライドガイド２３は、図４（ａ）に斜視図を示すように、基板２５、両側壁２６及び抱持壁２７によってガイド孔２８を形成するように一体に形成されている。
【００３１】
基板２５の中央に沿ってビス取付用溝２９が長手方向に形成されており、抱持壁２７の中央に沿ってビス取付用スリット３０が形成されている。ビス２４は、ビス取付用溝２９に形成されているビス穴を通して挿入され、ビス取付用スリット３０を通して差し込まれた工具により、キャビネット１の左右の側板５の外面にねじ込まれ、スライドガイド２３が固定される。
【００３２】
図４（ｂ）に示すスライド板３１は、全体形状がコの字型をしており、キャビネット１の横幅方向に伸びる長細い本体部３２と、本体部３２の両端においてキャビネット１の奥方向に折り曲げられた左右のスライド部３３とから一体に構成されている。スライド板３１は、磁石に吸着可能な材料で形成され、防錆コーティング処理が施されていることが好ましい。
【００３３】
スライド板３１は、キャビネット１の正面側から、スライド部３３がスライドガイド２３のガイド孔２８に挿入されるように装着されている。スライド板３１の後端には、図４（ｃ）に示すような規制ピン３４が固定されている。この規制ピン３４の頭部は、スライド板３１の可動時に、スライドガイド２３の端面に当接するように肉厚状に形成されている。
【００３４】
このような構成により、スライド部３３がスライドガイド２３によって前後方向に摺動可能に案内され、スライド板３１は、巾木８の背面側において前後方向に移動可能である。この場合、スライド板３１の移動可能な所定範囲は、後方（奥行方向）には、スライド板３１の本体部３２がキャビネット１の左右の側板５の前面により停止するまで、前方（手前方向）には、規制ピン３４がスライドガイド２３の端面に当接するまでの範囲内である。
【００３５】
ブラシ２２は、図４（ｄ）に示すが、床面１０に向けて下方に伸びるように、ブラシホルダ３５の下部に取り付けられている。ブラシ２２の長さは、巾木引き出し２が閉じた状態において、ブラシ２２の下端が床面１０に当接する程度の寸法である。
【００３６】
ところで、ブラシホルダ３５は、全体的にはキャビネット１の横幅と略同じ長さで、略断面Ｌ形の板である。そして、ブラシホルダ３５は、下端部の前側には、断面Ｌ形の折返し凹部３６が形成されている。この凹部３６内にスライド板３１の本体部３２がその下端から挿入されて嵌着されている。そして、この嵌着部には接着剤が塗布されており、ブラシホルダ３５がスライド板３１に固定されている。
【００３７】
図３（ｂ）に示すように、巾木８の下端部の背面には切り欠き部３７が形成され、この切り欠き部３７に永久磁石３８が埋め込まれて固定されている。これにより、スライド板３１の本体部３２は、巾木８の永久磁石３８に向き合うように構成されている。
【００３８】
（作用）
以上の構成から成る実施例２の巾木引き出し２の作用を説明する。図３（ｂ）及び図５（ａ）に示すように、巾木引き出し２が閉じている状態では、スライド板３１の本体部３２は永久磁石３８によって巾木８に吸着されており、ブラシ２２は床面１０に当接している。
【００３９】
使用者が巾木引き出し２を開くために前方に引くと、永久磁石３８で吸着されたスライド板３１は、スライドガイド２３によってそのスライド部３３が案内され、巾木８とともに前方に移動する。これにより、ブラシ２２が床面１０に摺接し塵１１を清掃することができる。
【００４０】
しかし、図５（ｂ）に示すように、規制ピン３４がスライドガイド２３の端面に当接すると、スライド板３１はスライドガイド２３によって規制され、それ以上前方に移動しないので、永久磁石３８から離される。これによって、ブラシ２２はスライド板３１とともに停止し、それ以上床面１０を摺接するようなことはない。
【００４１】
次に、巾木引き出し２を閉じる時には、巾木８がキャビネット１に向かって移動する途中、永久磁石３８がスライド板３１に当接して、スライド板３１を後方に押し込み、図３（ｂ）及び図５（ａ）に示すような閉じた状態となる。
【００４２】
以上のとおり、この実施例２においても、巾木引き出し２の開け閉めに連動して床面１０に摺接して床面１０を清掃することのできるブラシ２２を取り付けたという、簡単な構成によって、巾木８の下方の床面１０にたまる塵１１を、確実かつ簡単、しかも自動的に清掃できる。
【００４３】
そして、巾木引き出し２が閉じた状態から前方に所定範囲引き出されるまでは、ブラシ２２が巾木引き出し２と連動して床面１０に摺接し塵１１を清掃し、上記所定範囲を超えて引き出されると、ブラシ２２が巾木引き出し２と連動して引き出されずに床面１０から離れる。したがって、実施例１と同様に、ブラシ２２は、巾木８の下方にたまった塵１１を清掃する範囲のみ床面１０を摺接するので、無駄な清掃によるブラシ２２の破損が少なくなる。
【００４４】
以上、本発明に係る巾木引き出しを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
以上の構成から成る本発明に係る巾木引き出しは、キッチン、洗面所等のキャビネットだけでなく、巾木引き出しを設けたキャビネット、家具類に適用可能である。
【図面の簡単な説明】
【００４６】
【図１】本発明の実施例１を説明する図であり、（ａ）は実施例１の巾木引き出し２を設けたキャビネット１の斜視図及び要部の断面図を示す図である。
【図２】本発明の実施例１の巾木引き出し２の要部によって、その作用を説明する図である。
【図３】本発明の実施例２を説明する図である。
【図４】本発明の実施例２の巾木引き出しにおける一部の部品を説明する図である。
【図５】本発明の実施例２の巾木引き出しの要部によって作用を説明する図である。
【図６】従来例を説明する図である。
【符号の説明】
【００４７】
１  キャビネット
１’  キャビネットの底板                      
２、４０  巾木引き出し                      
３  巾木引き出しの前面部                            
４  巾木引き出しの箱体部                            
４’  箱体部の側板                      
５  キャビネットの側板                      
６  箱体部の底板                      
７  前面部の前面板                            
８、４１  前面部の巾木                              
９  前面部のスペーサ                          
１０  床面                                     
１１  塵                                       
１２、２２  実施例１、２それぞれのブラシ                                   
１３  支持部材                                 
１４  アーム                                   
１５  枢軸                                     
１６、３５  実施例１、２それぞれのブラシホルダ                             
１７  錘                                       
１８  ガイド部材                               
１９  ガイド部材のカム面                                   
２０  カム面の傾斜曲面                                 
２１  カム面の平坦面                                   
２３  スライドガイド                           
２４  ビス                                     
２５  スライドガイドの基板                                     
２６  スライドガイドの両側壁                                   
２７  スライドガイドの抱持壁                                   
２８  スライドガイドのガイド孔                 
２９  スライドガイドのビス取付用溝                             
３０  スライドガイドのビス取付用スリット                       
３１  スライド板                               
３２  スライド板の本体部                                   
３３  スライド板のスライド部                               
３４  規制ピン                                 
３６  ブラシホルダの凹部                                     
３７  巾木の切り欠き部                               
３８  永久磁石
【図１】
2008200197.tif 000003
【図２】
2008200197.tif 000004
【図３】
2008200197.tif 000005
【図４】
2008200197.tif 000006
【図５】
2008200197.tif 000007
【図６】
2008200197.tif 000008